(57)【特許請求の範囲】
【請求項１】
予備発光及び本発光を行う第１閃光発光部と、
前記第１閃光発光部の予備発光の被写体反射光を撮影レンズを通して測光する第１閃光測光部と、
前記第１閃光測光部の出力に基づいて、前記第１閃光発光部の本発光量を算出する第１発光量算出部と、
予備発光及び本発光を行う第２閃光発光部と、
前記第２閃光発光部の予備発光の被写体反射光を撮影レンズを通さないで測光する第２閃光測光部と、
前記第２閃光発光部の自身の発光量を測定する発光モニター部と、
前記第２閃光発光部が前記予備発光を行ったときに得られた、前記第２閃光測光部の出力及び前記発光モニター部の出力に基づいて、前記第２閃光発光部の本発光量を算出する第２発光量算出部と、
を含む多灯閃光制御システム。
【請求項２】
マスタ閃光器と、スレーブ閃光器と、カメラ本体内に設けられ、閃光器の発光の被写体反射光を撮影レンズを通して測光する第１閃光測光部と、を含むカメラの多灯閃光制御システムであって、
前記マスタ閃光器は、
予備発光及び本発光を行う第１閃光発光部と、
前記第１閃光発光部の予備発光の被写体反射光を前記第１閃光測光部で測光した出力に基づいて、前記第１閃光発光部の本発光量を算出する第１発光量算出部と、を備え、
前記スレーブ閃光器は、
予備発光及び本発光を行う第２閃光発光部と、
前記第２閃光発光部の予備発光の被写体反射光を前記撮影レンズを通さないで測光する第２閃光測光部と、
前記第２閃光発光部の自身の発光量を測定する発光モニター部と、
前記第２閃光発光部が前記予備発光を行ったときに得られた、前記第２閃光測光部の出力及び前記発光モニター部の出力に基づいて、前記第２閃光発光部の本発光量を算出する第２発光量算出部と、を備えること
を特徴とする多灯閃光制御システム。
【請求項３】
マスタ閃光器と、スレーブ閃光器と、カメラ本体内に設けられ、閃光器の発光の被写体反射光を撮影レンズを通して測光する第１閃光測光部と、を含むカメラの多灯閃光制御システムであって、
第１の閃光器グループは、
予備発光及び本発光を行う少なくとも１つの閃光発光器を有する第１閃光発光部と、
前記第１閃光発光部の予備発光の被写体反射光を前記第１閃光測光部で測光した出力に基づいて、前記第１閃光発光部の本発光量を算出する第１発光量算出部と、を備え、
第２の閃光器グループは、
予備発光及び本発光を行う少なくとも１つの閃光発光器を有する第２閃光発光部と、
前記第２閃光発光部の予備発光の被写体反射光を前記撮影レンズを通さないで測光する第２閃光測光部と、
前記第２閃光発光部の自身の発光量を測光する発光モニター部と、
前記第２閃光発光部が前記予備発光を行ったときに得られた、前記第２閃光測光部の出力及び前記発光モニター部の出力に基づいて、前記第２閃光発光部の本発光量を算出する第２発光量算出部と、を備えること
を特徴とする多灯閃光制御システム。
【請求項４】
請求項１から請求項３までのいずれか１項に記載の多灯閃光制御システムにおいて、
前記第１閃光発光部と前記第２閃光発光部とは、前記予備発光が別々に行われ、前記本発光が同時に行われること
を特徴とする多灯閃光制御システム。
【請求項５】
請求項１から請求項３までのいずれか１項に記載の多灯閃光制御システムにおいて、
前記第２閃光測光部は、前記第２閃光発光部の光軸と略同じ方向から測光すること
を特徴とする多灯閃光制御システム。
【請求項６】
請求項１から請求項３までのいずれか１項に記載の多灯閃光制御システムにおいて、
前記第２閃光発光部の予備発光は、単発の発光により行われること
を特徴とする多灯閃光制御システム。
【請求項７】
請求項６に記載の多灯閃光制御システムにおいて、
前記第２閃光測光部は、測光値が所定量になると予備発光を停止させる調光機能を有し、
前記第２閃光発光部の予備発光は、前記調光機能により光量制御されること
を特徴とする多灯閃光制御システム。
【請求項８】
請求項１から請求項３までのいずれか１項に記載の多灯閃光制御システムにおいて、
前記第１閃光発光部は、複数の閃光発光器からなり、前記複数の閃光発光器は同時に予備発光を行うこと
を特徴とする多灯閃光制御システム。
【請求項９】
請求項８に記載の多灯閃光制御システムにおいて、
前記第１閃光発光部の予備発光は、所定発光量の小発光を繰り返して行うこと
を特徴とする多灯閃光制御システム。
【請求項１０】
請求項１から請求項３までのいずれか１項に記載の多灯閃光制御システムにおいて、
前記第２閃光発光部は、複数の閃光発光器からなり、前記複数の閃光発光器は同時に予備発光を行うこと
を特徴とする多灯閃光制御システム。
【請求項１１】
請求項１から請求項３までのいずれか１項に記載の多灯閃光制御システムにおいて、
前記第２閃光発光部は、前記第１閃光発光部からの指示信号に従って、予備発光及び本発光を開始すること
を特徴とする多灯閃光制御システム。
【請求項１２】
請求項１に記載の多灯閃光制御システムにおいて、
前記第１及び第２閃光発光部と異なる時刻に予備発光を行う第３閃光発光部を備えること
を特徴とする多灯閃光制御システム。
【請求項１３】
請求項２に記載の多灯閃光制御システムにおいて、
予備発光及び本発光を行い、前記第１及び第２閃光発光部と異なる時刻に予備発光を行う第３閃光発光部，前記第３閃光発光部の予備発光の被写体反射光を撮影レンズを通さないで測光する第３閃光測光部、及び、前記第３閃光測光部の出力に基づいて、前記第３閃光発光部の本発光量を算出する第３発光量算出部を備える他のスレーブ閃光器と
を含むこと特徴とする多灯閃光制御システム。
【請求項１４】
請求項３に記載の多灯閃光制御システムにおいて、
予備発光及び本発光を行い、前記第１及び第２閃光発光部と異なる時刻に予備発光を行う、少なくとも１つの閃光発光器を有する第３閃光発光部，前記第３閃光発光部の予備発光の被写体反射光を撮影レンズを通さないで測光する第３閃光測光部、及び、前記第３閃光測光部の出力に基づいて、前記第３閃光発光部の本発光量を算出する第３発光量算出部を備える第３の閃光器グループと
を含むこと特徴とする多灯閃光制御システム。
【請求項１５】
請求項１２から請求項１４までのいずれか１項に記載の多灯閃光制御システムにおいて、
前記第３閃光発光部の予備発光は、単発の発光により行われること
を特徴とする多灯閃光制御システム。
【請求項１６】
請求項１５に記載の多灯閃光制御システムにおいて、
前記第３閃光測光部は、測光値が所定量になると予備発光を停止させる調光機能を有し、
前記第３閃光発光部の予備発光は、前記調光機能により光量制御されること
を特徴とする多灯閃光制御システム。
【請求項１７】
請求項１２から請求項１４までのいずれか１項に記載の多灯閃光制御システムにおいて、
前記第３閃光発光部は、複数の閃光発光器からなり、
前記複数の閃光発光器は、同時に予備発光を行うこと
を特徴とする多灯閃光制御システム。
【請求項１８】
カメラ本体内に設けられ且つ閃光器の発光の被写体反射光を撮影レンズを通して測光する第１の閃光測光部と、予備発光及び本発光を行う第１閃光発光部、及び前記第１閃光発光部の予備発光の被写体反射光を前記第１閃光測光部で測光した出力に基づいて、前記第１閃光発光部の本発光量を算出する第１発光量算出部を備えるマスタ閃光器と共に使用されるスレーブ閃光器であって、
予備発光及び本発光を行う第２閃光発光部と、
前記第２閃光発光部の予備発光の被写体反射光を前記撮影レンズを通さないで測光する第２閃光測光部と、
前記第２閃光発光部の自身の発光量を測定する発光モニター部と、
前記第２閃光発光部が前記予備発光を行ったときに得られた、前記第２閃光測光部の出力及び前記発光モニター部の出力に基づいて、前記第２閃光発光部の本発光量を算出する第２発光量算出部と、
を備えることを特徴とするスレーブ閃光器。
【請求項１９】
請求項１８に記載のスレーブ閃光器を用いるカメラの多灯閃光制御システムであって、
予備発光及び本発光を行い、前記第１及び第２閃光発光部と異なる時刻に予備発光を行う第３閃光発光部と、
前記第３閃光発光部の予備発光の被写体反射光を撮影レンズを通さないで測光する第３閃光測光部と、
前記第３閃光測光部の出力に基づいて、前記第３閃光発光部の本発光量を算出する第３発光量算出部と、
を備える他のスレーブ閃光器を含むこと
を特徴とする多灯閃光制御システム。
【請求項２０】
撮影時に撮影レンズが装着されたカメラ本体と共に使用される閃光器であって、
予備発光及び本発光を行う閃光発光部と、
前記閃光発光部の予備発光の被写体反射光を前記撮影レンズを通さないで測光する閃光測光部と、
前記閃光発光部の自身の発光量を測定する発光モニター部と、
前記閃光発光部が前記予備発光を行ったときに得られた、前記閃光測光部の出力及び前記発光モニター部の出力に基づいて、前記閃光発光部の本発光量を算出する発光量算出部と、
を備えることを特徴とする閃光器。
【発明の詳細な説明】
【０００１】
【発明の属する技術分野】
本発明は、複数の閃光発光器の発光量を最適量に制御する多灯閃光制御システム及びスレーブ閃光器、閃光器に関するものである。
【０００２】
【従来の技術】
従来、この種の多灯閃光制御システムは、複数の閃光発光器を用いて撮影を行う、いわゆる多灯撮影を行うときに、それら複数の閃光発光器（以後、ＳＢと呼ぶ）のそれぞれの発光量を最適に制御する多灯制御を行うシステムであり、以下のような様々な例が知られている。
【０００３】
例えば、特開２０００―８９３０８号公報の装置は、図２５に示すように、主灯（以後、マスターＳＢと呼ぶ）７２、副灯（以後、スレーブＳＢと呼ぶ）７３，７４の全ての発光量を、カメラ７１からの指示値によって制御している。図２５のように、全てのＳＢ７２，７３，７４が同一被写体７５を照明している場合には、それら照明光の合計が適正露出を与えるように、カメラ７１で測光して発光量を算出してやれば良い。
【０００４】
【発明が解決しようとする課題】
しかし、図２３のように、各ＳＢ７２，７３，７４が別々の被写体７５，７６，７７を照明している場合には、各ＳＢ７２，７３，７４は、被写界上の一部分しか照明していないために、カメラ側で各ＳＢ７２，７３，７４の適正発光量を算出するのが困難である。
【０００５】
更に、図２４のように、スレーブＳＢ７４をカメラに向けて正対させた場合には、カメラにＳＢ光が直接入射するために、適正発光量を演算することが不可能となる。
そのような場合の対策として、スレーブＳＢ７３，７４を、ＳＢ自身に内蔵された外部調光センサによって調光させるというやり方がある。その場合には、各スレーブＳＢ７３，７４は、自身の照明範囲のみを外部調整センサによって調光するので、各ＳＢ７３，７４の発光量は適正に制御される。
【０００６】
しかし、その場合には、マスターＳＢ７２とスレーブＳＢ７３，７４を別々に発光させなければ、お互いの光を測光してしまい、適正光量に制御されない場合があった。また、別々に発光させるために時分割で制御させると、発光制御にかかる時間が長くなるため、シャッタータイムが長くなってしまい、速いシャッタータイムで撮影することができないという問題点があった。
【０００７】
本発明の目的は、上述したように複数の閃光発光器が別々の被写体を照明しているシーンにおいても、適正光量に制御することが可能で、かつ、発光制御時間を短く押さえ、速いシャッタータイムで撮影可能な多灯閃光制御システム及びスレーブ閃光器、閃光器を提供することである。
【０００８】
【課題を解決するための手段】
前記課題を解決するために、請求項１の発明は、予備発光及び本発光を行う第１閃光発光部と、前記第１閃光発光部の予備発光の被写体反射光を撮影レンズを通して測光する第１閃光測光部と、前記第１閃光測光部の出力に基づいて、前記第１閃光発光部の本発光量を算出する第１発光量算出部と、予備発光及び本発光を行う第２閃光発光部と、前記第２閃光発光部の予備発光の被写体反射光を撮影レンズを通さないで測光する第２閃光測光部と、前記第２閃光発光部の自身の発光量を測定する発光モニター部と、前記第２閃光発光部が前記予備発光を行ったときに得られた、前記第２閃光測光部の出力及び前記発光モニター部の出力に基づいて、前記第２閃光発光部の本発光量を算出する第２発光量算出部と、を含む多灯閃光制御システムである。
【０００９】
請求項２の発明は、マスタ閃光器と、スレーブ閃光器と、カメラ本体内に設けられ、閃光器の発光の被写体反射光を撮影レンズを通して測光する第１閃光測光部と、を含むカメラの多灯閃光制御システムであって、前記マスタ閃光器は、予備発光及び本発光を行う第１閃光発光部と、前記第１閃光発光部の予備発光の被写体反射光を前記第１閃光測光部で測光した出力に基づいて、前記第１閃光発光部の本発光量を算出する第１発光量算出部と、を備え、前記スレーブ閃光器は、予備発光及び本発光を行う第２閃光発光部と、前記第２閃光発光部の予備発光の被写体反射光を前記撮影レンズを通さないで測光する第２閃光測光部と、前記第２閃光発光部の自身の発光量を測定する発光モニター部と、前記第２閃光発光部が前記予備発光を行ったときに得られた、前記第２閃光測光部の出力及び前記発光モニター部の出力に基づいて、前記第２閃光発光部の本発光量を算出する第２発光量算出部と、を備えることを特徴とする多灯閃光制御システムである。
【００１０】
請求項３の発明は、マスタ閃光器と、スレーブ閃光器と、カメラ本体内に設けられ、閃光器の発光の被写体反射光を撮影レンズを通して測光する第１閃光測光部と、を含むカメラの多灯閃光制御システムであって、第１の閃光器グループは、予備発光及び本発光を行う少なくとも１つの閃光発光器を有する第１閃光発光部と、前記第１閃光発光部の予備発光の被写体反射光を前記第１閃光測光部で測光した出力に基づいて、前記第１閃光発光部の本発光量を算出する第１発光量算出部と、を備え、第２の閃光器グループは、予備発光及び本発光を行う少なくとも１つの閃光発光器を有する第２閃光発光部と、前記第２閃光発光部の予備発光の被写体反射光を前記撮影レンズを通さないで測光する第２閃光測光部と、前記第２閃光発光部の自身の発光量を測定する発光モニター部と、前記第２閃光発光部が前記予備発光を行ったときに得られた、前記第２閃光測光部の出力及び前記発光モニター部の出力に基づいて、前記第２閃光発光部の本発光量を算出する第２発光量算出部と、を備えることを特徴とする多灯閃光制御システムである。
【００１１】
請求項４の発明は、請求項１から請求項３までのいずれか１項に記載の多灯閃光制御システムにおいて、前記第１閃光発光部と前記第２閃光発光部とは、前記予備発光が別々に行われ、前記本発光が同時に行われることを特徴とする多灯閃光制御システムである。
【００１２】
請求項５の発明は、請求項１から請求項３までのいずれか１項に記載の多灯閃光制御システムにおいて、前記第２閃光測光部は、前記第２閃光発光部の光軸と略同じ方向から測光することを特徴とする多灯閃光制御システムである。
【００１３】
請求項６の発明は、請求項１から請求項３までのいずれか１項に記載の多灯閃光制御システムにおいて、前記第２閃光発光部の予備発光は、単発の発光により行われることを特徴とする多灯閃光制御システムである。
【００１４】
請求項７の発明は、請求項６に記載の多灯閃光制御システムにおいて、前記第２閃光測光部は、測光値が所定量になると予備発光を停止させる調光機能を有し、前記第２閃光発光部の予備発光は、前記調光機能により光量制御されることを特徴とする多灯閃光制御システムである。
【００１５】
請求項８の発明は、請求項１から請求項３までのいずれか１項に記載の多灯閃光制御システムにおいて、前記第１閃光発光部は、複数の閃光発光器からなり、前記複数の閃光発光器は同時に予備発光を行うことを特徴とする多灯閃光制御システムである。
【００１６】
請求項９の発明は、請求項８に記載の多灯閃光制御システムにおいて、前記第１閃光発光部の予備発光は、所定発光量の小発光を繰り返して行うことを特徴とする多灯閃光制御システムである。
【００１７】
請求項１０の発明は、請求項１から請求項３までのいずれか１項に記載の多灯閃光制御システムにおいて、前記第２閃光発光部は、複数の閃光発光器からなり、前記複数の閃光発光器は同時に予備発光を行うことを特徴とする多灯閃光制御システムである。
【００１８】
請求項１１の発明は、請求項１から請求項３までのいずれか１項に記載の多灯閃光制御システムにおいて、前記第２閃光発光部は、前記第１閃光発光部からの指示信号に従って、予備発光及び本発光を開始することを特徴とする多灯閃光制御システムである。
【００１９】
請求項１２の発明は、請求項１に記載の多灯閃光制御システムにおいて、前記第１及び第２閃光発光部と異なる時刻に予備発光を行う第３閃光発光部を備えることを特徴とする多灯閃光制御システムである。
【００２０】
請求項１３の発明は、請求項２に記載の多灯閃光制御システムにおいて、予備発光及び本発光を行い、前記第１及び第２閃光発光部と異なる時刻に予備発光を行う第３閃光発光部，前記第３閃光発光部の予備発光の被写体反射光を撮影レンズを通さないで測光する第３閃光測光部、及び、前記第３閃光測光部の出力に基づいて、前記第３閃光発光部の本発光量を算出する第３発光量算出部を備える他のスレーブ閃光器とを含むこと特徴とする多灯閃光制御システムである。
【００２１】
請求項１４の発明は、請求項３に記載の多灯閃光制御システムにおいて、予備発光及び本発光を行い、前記第１及び第２閃光発光部と異なる時刻に予備発光を行う、少なくとも１つの閃光発光器を有する第３閃光発光部，前記第３閃光発光部の予備発光の被写体反射光を撮影レンズを通さないで測光する第３閃光測光部、及び、前記第３閃光測光部の出力に基づいて、前記第３閃光発光部の本発光量を算出する第３発光量算出部を備える第３の閃光器グループとを含むこと特徴とする多灯閃光制御システムである。
【００２２】
請求項１５の発明は、請求項１２から請求項１４までのいずれか１項に記載の多灯閃光制御システムにおいて、前記第３閃光発光部の予備発光は、単発の発光により行われることを特徴とする多灯閃光制御システムである。
【００２３】
請求項１６の発明は、請求項１５に記載の多灯閃光制御システムにおいて、前記第３閃光測光部は、測光値が所定量になると予備発光を停止させる調光機能を有し、前記第３閃光発光部の予備発光は、前記調光機能により光量制御されることを特徴とする多灯閃光制御システムである。
【００２４】
請求項１７の発明は、請求項１２から請求項１４までのいずれか１項に記載の多灯閃光制御システムにおいて、前記第３閃光発光部は、複数の閃光発光器からなり、前記複数の閃光発光器は、同時に予備発光を行うことを特徴とする多灯閃光制御システムである。
【００２５】
請求項１８の発明は、カメラ本体内に設けられ且つ閃光器の発光の被写体反射光を撮影レンズを通して測光する第１の閃光測光部と、予備発光及び本発光を行う第１閃光発光部、及び前記第１閃光発光部の予備発光の被写体反射光を前記第１閃光測光部で測光した出力に基づいて、前記第１閃光発光部の本発光量を算出する第１発光量算出部を備えるマスタ閃光器と共に使用されるスレーブ閃光器であって、予備発光及び本発光を行う第２閃光発光部と、前記第２閃光発光部の予備発光の被写体反射光を前記撮影レンズを通さないで測光する第２閃光測光部と、前記第２閃光発光部の自身の発光量を測定する発光モニター部と、前記第２閃光発光部が前記予備発光を行ったときに得られた、前記第２閃光測光部の出力及び前記発光モニター部の出力に基づいて、前記第２閃光発光部の本発光量を算出する第２発光量算出部と、を備えることを特徴とするスレーブ閃光器である。
【００２６】
請求項１９の発明は、請求項１８に記載のスレーブ閃光器を用いるカメラの多灯閃光制御システムであって、予備発光及び本発光を行い、前記第１及び第２閃光発光部と異なる時刻に予備発光を行う第３閃光発光部と、前記第３閃光発光部の予備発光の被写体反射光を撮影レンズを通さないで測光する第３閃光測光部と、前記第３閃光測光部の出力に基づいて、前記第３閃光発光部の本発光量を算出する第３発光量算出部と、を備える他のスレーブ閃光器を含むことを特徴とする多灯閃光制御システムである。
請求項２０の発明は、撮影時に撮影レンズが装着されたカメラ本体と共に使用される閃光器であって、予備発光及び本発光を行う閃光発光部と、前記閃光発光部の予備発光の被写体反射光を前記撮影レンズを通さないで測光する閃光測光部と、前記閃光発光部の自身の発光量を測定する発光モニター部と、前記閃光発光部が前記予備発光を行ったときに得られた、前記閃光測光部の出力及び前記発光モニター部の出力に基づいて、前記閃光発光部の本発光量を算出する発光量算出部と、を備えることを特徴とする閃光器である。
【００２７】
【発明の実施の形態】
以下、図面を参照して、本発明の実施形態について説明する。
図１は、本発明の一実施形態に係わるカメラの多灯閃光制御システムの光学系を示した図である。
この多灯閃光制御システムは、カメラ本体３０，撮影レンズ本体４０，マスターＳＢ５０及びスレーブＳＢ６０等によって構成される。
【００２８】
撮影時以外でＳＢが発光していない状況では、いわゆる周囲光は、撮影レンズ１を通過し、メインミラー２によって上方に反射され、拡散スクリーン３上にいったん結像する。その後に、コンデンサレンズ４、ペンタプリズム５、接眼レンズ６を通って、撮影者の目に到達する。
【００２９】
一方、拡散スクリーン３によって拡散された光束の一部は、コンデンサレンズ４、ペンタプリズム５、測光用プリズム７、測光用レンズ８を通して定常光用の測光素子９上へ再結像される。
【００３０】
測光素子９は、例えば、ＣＣＤ（チャージ・カップルド・デバイス）等の受光素子が用いられており、図３（ａ）に示すように、被写界を２２×１５の３３０領域に分割して測光し、それぞれの測光値を出力可能な構造になっている。
また、それぞれの領域は、図３（ｂ）に示すように、Ｒ（赤）Ｇ（緑）Ｂ（青）の３色の測光セルを持ち、それぞれの色に分解して測光可能になっている。
【００３１】
撮影時には、まず、絞り１０が所定値まで絞られると同時に、メインミラー２が跳ね上げられる。その後に、予備発光としてマスターＳＢ５０の閃光発光部１７から発した光束は被写体によって反射され、撮影レンズ１によってシャッター１１上に略結像される。
シャッター１１で反射、拡散された一部の光束を調光用レンズ１４を通して調光素子１５へ再結像させて、閃光測光を行う。本発光時には、シャッター１１を開き、例えば、ＣＣＤ（チャージ・カップルド・デバイス）等によって構成される撮像素子１２の受光面上に光束を結像させる。
【００３２】
調光素子１５は、ＳＰＤとＳＰＤからの光電流を蓄積するコンデンサ、増幅アンプ等によって構成され、図５に示すように、領域Ｓ１〜Ｓ５に５分割されており、それぞれ図３のＢ１〜Ｂ５と対応している。
【００３３】
また、メインミラー２は、一部の光を透過するハーフミラーになっており、透過した光束の一部は、サブミラー１３によって下へ折り曲げられ、例えば、ＣＣＤ（チャージ・カップルド・デバイス）等によって構成される焦点検出部１６へ導かれる。焦点検出部１６では、図４に示す被写界の焦点検出領域Ｆ１〜Ｆ５についての焦点状態を検出し、その何れかの領域の焦点が合焦状態になるまで撮影レンズ１を駆動する。どの焦点検出領域を合焦させるかは、撮影者による手動選択、至近選択等がある。
【００３４】
マスターＳＢ５０は、閃光発光部１７と、自身の発光量をモニターする発光モニター部１８とから構成される。
また、スレーブＳＢ６０は、第２閃光発光部１９と、自身の発光量をモニターする第２発光モニター部２０と、適正光量への制御を行う調光制御部２１とから構成される。
【００３５】
図２は、本発明の実施形態の概略の構成を示すブロック図である。
カメラ本体３０内の制御は、全てマイクロプロセッサであるカメラマイコン３１によって行われる。この制御は、以下に示す、測光・露出関連、オートフォーカス関連、マスターＳＢ制御関連、スレーブＳＢ制御関連に大別される。
【００３６】
（測光・露出関連）
定常光測光部３２は、図３に示したように、被写界を２２×１５の３３０領域に分割して測光する回路であり、その測光出力は、カメラマイコン３１へ出力される。カメラマイコン３１は、定常光測光部３２からの出力と、撮影レンズ４０に設けられたレンズマイコン４１内に格納された撮影レンズ（レンズ光学系）１の開放Ｆ値、焦点距離、射出瞳位置などのレンズ情報、感度設定部３４からの撮像素子１２の感度情報等に基づいて、定常光露出に関する適正露出値を算出し、それを絞り値とシャッター値とに分解して、絞り制御部３７やシャッター１１へ出力する。絞り制御部３７は、レリーズスイッチ３５からのレリーズ信号に応じて、絞り１０の絞り込み／復帰の制御を行う。
【００３７】
（オートフォーカス関連）
焦点検出部１６は、図４に示したように、被写界の５領域についての焦点状態を検出する。その情報は、カメラマイコン３１で処理され、レンズ駆動量となってレンズ駆動部３６へ出力され、更に、レンズ本体４０内のレンズ光学系１を合焦状態まで駆動する。
【００３８】
（マスターＳＢ制御関連）
カメラマイコン３１は、測光値、絞り値、感度値、距離値、閃光発光部のバウンス状態などに基づいて、閃光測光部３３の設定ゲインを算出してゲイン設定を行う。その後に、カメラマイコン３１は、マスターＳＢ５０本体内のＳＢマイコン５１を通じて閃光発光部１７を予備発光させ、閃光測光部３３は、その被写体反射光量に応じた光電流を積分する。カメラマイコン３１は、その積分値を基にして、本発光量指示値を算出し、再び、ＳＢマイコン５１へ本発光指示値を出力する。
【００３９】
ＳＢマイコン５１は、その本発光量指示値と自らの発光モニター部１８によって測光した予備発光値とから本発光量を算出し、撮影時の発光トリガ信号（Ｘ信号）によって発光し、発光量を適正光量に制御する。
データ設定部５３には、撮影者により多灯制御のモード（後述する）が設定される。送信部５２は、スレーブＳＢ６０に対してコード信号を発信する。尚、信号を閃光発光によるパルス発光で行う場合には、発信部５２と閃光発光部１７とを兼用することが可能である。
【００４０】
（スレーブＳＢ制御関連）
第２ＳＢマイコン６１は、受信部６２で予備発光指示と絞り値、感度値、調光補正値などが考慮された調光パラメータの信号を受信すると、調光制御部２１に予備発光に必要な調光パラメータを設定して、第２閃光発光部１９を発光させ予備調光を行う。その際に、第２発光量モニター部２０により自身の発光量を測定しておき、その測定値と設定した調光パラメータとから、最適な本発光量を算出する。その後に、受信部６２に本発光指示のトリガ信号を受信すると、所定の時間を計時した後に、算出された発光量に基づいた本発光制御を行う。尚、信号を調光制御部２１のセンサによって受信する場合には、受信部６２と調光制御部２１とを兼用することが可能である。
【００４１】
図３（ａ）は、測光素子９の分割状態を被写界に照らし合わせて示した図である。測光素子９は、被写界のほぼ全面を３３０分割して測光し、それぞれの測光値を出力できるようになっている。また、測光領域を閃光測光部３３の分割形状に合わせて平均化した領域Ｂ１〜Ｂ５の測光値を出力可能になっている。
図３（ｂ）は、それぞれの測光領域がＲＧＢの３色の測光領域に分割されているところを示した図である。
【００４２】
図４（ａ）は、焦点検出部１６の検出領域を被写界に照らし合わせて示した図である。Ｆ１〜Ｆ５の５領域についての焦点状態をそれぞれ検出可能になっている。
図４（ｂ）は、焦点検出部１６の光学系を詳しく示した図である。撮影レンズ１、視野マスク１６ａ、フィールドレンズ１６ｂ、セパレータレンズ１６ｃ、ＡＦ用センサ１６ｄからなる。
【００４３】
図５は、閃光測光部３３の光学系と測光領域の分割形状を示した図である。シャッター面に入射し結像した被写体像を、３連の調光用レンズ１４により調光素子１５上に再結像させ、Ｓ１〜Ｓ５の５領域に分割してそれぞれ光電変換された電荷を蓄積する構成になっている。ここで、Ｓ１〜Ｓ５の各領域と番号の関係は、図３（ａ）における測光領域Ｂ１〜Ｂ５の各領域の番号と対応している。また、絞りマスク１５ａは、隣のレンズからの入射光がセンサ上に迷光として入らないようにカットする。
【００４４】
図６（ａ）は、調光素子１５の端子とその役割をわかりやすく説明した図である。Ｃ１〜Ｃ５は、それぞれ領域Ｓ１〜Ｓ５の光電流を蓄積する外付けコンデンサ、ＳＣは、ストップ信号を出すためにＳ１〜Ｓ５の光電流を加算して蓄積する外付けコンデンサ、Ｖｒｅｆは温度比例電圧出力端子、ｓｔｏｐは、ストップ信号出力端子、ＣＳＲ，ＣＳＧ，ＣＬＫは、アンプ・ゲインと読み出しチャンネルの設定を切り替えるための端子であり、設定方法は、それぞれ図６（ｂ）および（ｃ）の所で説明する。
ＩＳは、蓄積開始／終了を行う端子、ＤＡは、各領域のアンプ・ゲインを入力する端子、ＡＤは、各領域の測光積分値の出力端子である。
【００４５】
図６（ｂ）は、調光素子１５の各領域のアンプ・ゲインの設定方法を示した図である。ＣＳＧ端子をＨレベルにしたまま、ＣＳＲ端子をＬレベルに下げ、その後にＣＬＫ端子にクロック信号を入力すると、Ｌレベルへの立ち下がりに同期してチャンネルが切り替わる。ＣＬＫ端子がＬレベルの間に、ＤＡ端子を設定ゲインに応じた電圧レベルにすることによって、そのチャンネルのゲインが設定される。Ｃｈ１〜Ｃｈ５は、それぞれＳ１〜Ｓ５に対応している。
【００４６】
図６（ｃ）は、調光素子１５の各領域の測光積分値の読み出し方法を示した図である。ＣＳＲ及びＣＳＧ端子をＬレベルに下げた後に、ＣＬＫ端子にクロック信号を入力すると、Ｌレベルへの立ち下がりに同期してチャンネルが切り替わり、各領域の測光積分値が測光値に応じた電圧レベルとなってＡＤ端子に出力される。
【００４７】
図７は、レリーズ時の基本動作をわかりやすく説明したタイミングチャートである。話を簡単にするために、マスターＳＢのみが装着された１灯制御の場合について説明する。
レリーズ信号が入力されて絞り込みが完了すると、閃光測光部３３のゲイン設定（ゲイン設定１）が行われる。ゲインの算出方法は後で詳しく説明する。その後、閃光発光部１７及び閃光測光部３３のウォーム・アップのために、小発光のカラ打ちが２発行われた後に、ＩＳ端子が立ち下げられて積分（積分１）が開始されると同時に予備発光が行われる。
【００４８】
測光積分値が適当なレベルに達したか、小発光の回数が最大数（例えば、１６回程度）になったところで予備発光が終了し、積分値の読み出し（読み出し１）が行なわれた後に、ＩＳ端子を立ち上げ、積分値のリセットを行う。予備発光時の積分値には、ＳＢ光の反射光の他に定常光成分も含まれているため、予備発光終了後に定常光のみの積分を行い、後の演算処理において、定常光成分を予備発光積分値から差し引く演算を行う。
【００４９】
ゲイン設定２において、定常光積分のためのゲイン設定を行い、その後、予備発光のときと同様にＩＳ端子を立ち下げ、定常光積分（積分２）を行う。定常光積分のゲイン設定と積分時間については後述する。定常光積分が終了したら積分値を読み出し（読み出し２）た後に、ＩＳ端子を立ち上げて、積分値をリセットする。その後に、後述するアルゴリズムによって、本発光量を算出してその値をＳＢマイコン５１を通じて閃光発光部１７へ通信し、撮影と同時に、本発光制御を行い撮影が完了する。
【００５０】
本実施形態の多灯制御では、原理的には、増やせるスレーブＳＢの個数に制限はない。また、各ＳＢは、最大Ａ，Ｂ，Ｃの３グループにグループ分けされ、各グループに所属しているＳＢは、同一の動作をする。スレーブＳＢをどのグループに所属させるかは、スレーブＳＢ本体にスイッチを設けて設定するようにすればよい。一方、マスターＳＢは、必ず、Ａグループに所属するものとする。また、各グループ毎に調光補正量などを設定することができ、その設定は、マスターＳＢに設けられたデータ設定部５３によって設定するものとする。
【００５１】
図８は、マスターＳＢにスレーブＳＢを１つ追加した場合のタイミングチャートを簡単に示した図である。この場合は、マスターＳＢ、スレーブＳＢ共にＡグループの場合であり、これをマスター（Ａ）、スレーブ（Ａ）と表すことにする。まず、図７で示した予備発光の最初のカラ打ち２発の時間間隔で、これからどの多灯制御モードを行うかを宣言する。
【００５２】
多灯制御モードには、設定されているグループ数に応じて、図１５に示すように、スレーブＡ、スレーブＢ、スレーブＣ、スレーブＡＢ、スレーブＡＣ、スレーブＢＣ、スレーブＡＢＣの７モードがある。これらのモードに対して、カラ打ち２発の時間間隔が１００〜１６０μｓまで１０μｓ刻みで定義されている。スレーブＳＢは、予備発光を図１に示す調光制御部２１の受光センサでモニターしており、この時間間隔によって、これから行われる多灯制御モードを識別し、自身の所属するグループと照らし合わせて所定の制御を行う。
【００５３】
図８の場合、マスター（Ａ）となるマスターＳＢの他には、スレーブ（Ａ）しか存在しないので、多灯制御モードは、スレーブＡ、即ち時間間隔は１００μｓである。カラ打ち２発が終わると、マスター（Ａ）は、測光積分値が適当なレベルに達するか、小発光の回数が最大数（１６回程度）になるまで小発光の予備発光を行う。
このとき、スレーブ（Ａ）は、マスター（Ａ）の予備発光に追従して自身も小発光による予備発光を行う。小発光のガイドナンバーは、そのＳＢそれぞれに応じて予め定められているものである。スレーブ（Ａ）は、小光量の予備発光の間隔を計時しておき、所定値（４００μｓ程度）以上の時間が経っても次の小発光が来ない場合には、予備発光が終了したと判定する。
【００５４】
閃光測光部３３は、マスター（Ａ）とスレーブ（Ａ）の予備発光によって照明された被写体を測光しており、その測光結果から、例えば本出願人による特開平１１−１８３９７８号公報などの手法により適正本発光量を求め、それを予備発光量の倍数値Ｋに換算してマスター（Ａ）にマイコン間通信により伝達する。
マスター（Ａ）は、倍数値Ｋをコード化したパルス発光により、その値をスレーブ（Ａ）に伝達する（Ａデータ）。
コード化は、図１５に示すように、８ビット数を所定の時間間隔（２００μｓ〜２７５０μｓ）に割り当て、２発の小発光の時間間隔として表す。
【００５５】
スレーブ（Ａ）は、２発の小発光の時間間隔を計測して倍数値Ｋを読みとり、自身の予備発光量に乗じて本発光量ＧＮＡを算出する。その後、マスター（Ａ）から本発光を指示するコード信号（本発光トリガ）を発信する。
【００５６】
図１５に示すように、本発光トリガ信号は、時間間隔が１９０μｓの２発の小発光によって定義されている。カメラは、この本発光トリガ信号を発信した後に、シャッターを開き始める。なぜなら、このトリガー発光が撮影されないためである。通常、シャッターが開ききるまでには、約３ｍｓ程度の時間を有する。従って、本発光トリガ受信後、３ｍｓ後に本発光を開始するように定義しておく。本発光トリガ信号から３ｍｓ後に、マスター（Ａ）は、カメラ本体３０からのＸ接点信号により、また、スレーブ（Ａ）は、自身のタイマーにより３ｍｓを計時して、同時に本発光を行い制御が完了する。
【００５７】
図９は、マスター（Ａ）とスレーブ（Ｂ）による多灯制御の場合を簡単に示した図である。まず、図８と同様に、カラ打ち２発の時間間隔（この場合は、１１０μｓ）によって、スレーブＢモードを宣言する。その後、マスター（Ａ）は、予備発光を行うが、スレーブ（Ｂ）は追従しない。予備発光が終了すると、カメラ本体内では、マスター（Ａ）の本発光量の倍数値Ｋを算出する。
【００５８】
その後、マスター（Ａ）は、スレーブ（Ｂ）の予備発光を指示するコード信号（＝Ｂトリガ、時間間隔１７０μｓの発光）とＢグループに対して設定されている調光補正量（Ｂデータ）を発信する。Ｂデータの形式は、Ａデータと同様の８ビット信号である。Ｂトリガを受信したスレーブ（Ｂ）は、その後のＢデータを解読して予備調光パラメータに設定した後、直ちに予備調光を行う。
【００５９】
予備調光は、自身に設けられた調光制御部２１により行い、同時に、第２発光モニター部２０により、自身が発光した予備発光量をモニターしておく。そして、調光制御部２１の出力とモニターした予備発光量とから適正の本発光量ＧＮＢを算出する。通常、予備発光時には、調光制御部２１のアンプゲインは高めに設定しておき、比較的小発光量で調光動作が終了するようにして、本発光時のエネルギーを温存しておく。
その後に、図８と同様に、本発光トリガが発信され、所定の時間後にマスター（Ａ）とスレーブ（Ｂ）が同時に本発光を行い制御が完了する。
【００６０】
図１０は、マスター（Ａ）とスレーブ（Ｃ）による多灯制御の場合を簡単に示した図であるが、モード指定信号がスレーブＣ（１２０μｓ間隔）であることと、Ｂトリガの代わりにＣトリガ（１８０μｓ間隔）、Ｂデータの代わりにＣデータ（形式は同様）になっていること以外は、図９と同様であるので、説明は省略する。
【００６１】
図１１は、マスター（Ａ）とスレーブ（Ａ）とスレーブ（Ｂ）による多灯制御の場合を簡単に示した図であるが、制御内容は、図８と図９の組み合わせであるので説明を省略する。
【００６２】
以下同様に、各モードでの制御を簡単に示した図であるが、内容は上述のものから類推可能であるので詳細な説明は省略する。
図１２は、マスター（Ａ）とスレーブ（Ａ）とスレーブ（Ｃ）による多灯制御の場合を簡単に示した図である。
図１３は、マスター（Ａ）とスレーブ（Ｂ）とスレーブ（Ｃ）による多灯制御の場合を簡単に示した図である。
図１４は、マスター（Ａ）とスレーブ（Ａ）とスレーブ（Ｂ）とスレーブ（Ｃ）による多灯制御の場合を簡単に示した図である。
【００６３】
図１５は、２パルスの発光時間間隔によって示す信号の意味を分かりやすくまとめた表である。
但し、時間間隔の数値は一例であって、制御の都合で自由に設計してかまわない。また、カメラのシャッター走行時間は機種により異なるので、機種に応じて本発光トリガ時間を複数定義しておくことも可能である。
【００６４】
図１６は、カメラマイコン３１のプログラムを示したフローチャートである。カメラのレリーズスイッチ３５が半押しされることによって、カメラの電源が入り、本プログラムが実行される。以下ステップ毎に説明する。
Ｓ１０１では、カメラの撮影前処理を行う。詳細は後述する。
Ｓ１０２では、レリーズが全押しされたか否かを判定する。肯定の場合には、Ｓ１０３へ進み、否定の場合には、Ｓ１１５へジャンプする。
Ｓ１０３では、ミラーアップ、絞り込みを行う。
Ｓ１０４では、マスターＳＢを２発カラ打ちさせ、その時間間隔によって多灯制御モードをスレーブＳＢに宣言する。
Ｓ１０５では、予備発光処理Ａを行う。詳細は後述する。
【００６５】
Ｓ１０６では、スレーブ（Ｂ）が設定されているか否かを判定する。肯定の場合には、Ｓ１０７へ進み、否定の場合には、Ｓ１０８へ進む。
Ｓ１０７では、スレーブ（Ｂ）に予備発光をさせるためのＢトリガ、Ｂデータを発信する。
Ｓ１０８では、スレーブ（Ｃ）が設定されているか否かを判定する。肯定の場合には、Ｓ１０９へ進み、否定の場合には、Ｓ１１０へ進む。
Ｓ１０９では、スレーブ（Ｃ）に予備発光をさせるためのＣトリガ、Ｃデータを発信する。
Ｓ１１０では、マスター（Ａ），スレーブ（Ａ）に対する倍数値Ｋ（Ａデータ）を発信する。
【００６６】
Ｓ１１１では、本発光トリガ信号を発信する。
Ｓ１１２では、シャッターを開く。必要ならば、本発光までの時間を計時してタイミングを合わせ込む。
Ｓ１１３では、Ｘ接点を閉じて本発光を行うと同時に、撮像素子１２への露出を行う。
Ｓ１１４では、シャッター、絞り、ミラーを初期位置に復帰させる。
Ｓ１１５では、半押しタイマー起動後所定時間経過したか否かを判別し、所定時間内であれば、ステップＳ１０１へ戻って処理を繰り返し、タイマー切れであれば、処理を終了する。
【００６７】
図１７は、撮影前処理の制御内容を示したサブルーチンフローチャートである。図１６のＳ１０１が実行されると本サブルーチンが呼び出されて実行される。以下、ステップ毎に説明する。
Ｓ２０１では、カメラの諸設定（感度、測光モード、露出モードなど）を読み出す。
Ｓ２０２では、レンズ通信により、撮影レンズの焦点距離、開放Ｆ値、射出瞳距離、距離データなどを読み出す。
Ｓ２０３では、ＳＢ通信により、マスターＳＢの予備発光１発当たりの光量、最大本発光量、ＳＢの状態（バウンス状態か否か）等を読み出す。
Ｓ２０４では、定常光測光を行い、Ｂ１〜Ｂ５の測光値等を算出する。
【００６８】
Ｓ２０５では、測光値を基に公知の手法により適正露出値を算出し、露出モードに応じて絞り値、シャッター値を算出する。
Ｓ２０６では、焦点検出を行う。
Ｓ２０７では、焦点検出の状態に応じてデフォーカス量が０になるまでレンズを駆動し、ピントを合わせる。
Ｓ２０８では、合焦位置での撮影レンズのピント距離を被写体距離と見なし、その値をレンズマイコン４１から読み出す。
【００６９】
図１８は、予備発光処理Ａの制御内容を示したサブルーチンフローチャートである。図１６のＳ１０５が実行されると、本サブルーチンが呼び出されて実行される。以下、ステップ毎に説明する。
Ｓ３０１では、閃光測光部３３のＩＣに設定するゲイン値を算出する。算出する方法としては、本出願人による特願平１１−１５３２５３号公報などの手法がある。
Ｓ３０２では、図７に説明した手順で予備発光積分を行う。
Ｓ３０３では、図７に説明した手順で定常光積分を行う。
Ｓ３０４では、予備発光積分値と定常光積分値とに基づいて、そのシーンでの標準露光量を与える発光量に関連する値であるＧＶ値を算出する。ＧＶ値の詳細については、本出願人による特願平１１−１５３２５３号公報に詳しく記載してあるのでここでは説明を省略する。
Ｓ３０５では、ＧＶ値などを基に各調光領域の重みwt[i] とレベル補正値deltaYを算出する。算出方法は、本出願人による特願２００１−１１９９６２号公報に詳しく記載してあるので、ここでは説明を省略する。
Ｓ３０６では、撮影時の本発光倍数値Ｋを算出する。この算出方法も、上記公報に詳しく記載してあるのでここでは説明を省略する。
【００７０】
図１９はスレーブＳＢ５０内のＳＢマイコン５１の制御内容を示したフローチャートである。以下、ステップ毎に説明する。
Ｓ４０１では、データ設定部５３から設定されたスレーブモード（Ａ、Ｂ、Ｃ等）を読み込む。
Ｓ４０２では、メインコンデンサの充電が完了したか否かを判定する。
Ｓ４０３では、充電が完了していれば、充電完了ランプを点灯する。
Ｓ４０４では、充電が未完了であれば、充電完了ランプを消灯する。
Ｓ４０５では、マスターＳＢからのモード指定信号を受信したか否かを判定する。
Ｓ４０６では、モード指定信号に応じた制御を行う。詳細は後述する。
【００７１】
図２０は、スレーブＳＢの設定モードがスレーブＡであった場合の制御内容を示したフローチャートである。図１９のＳ４０６に対応する。以下、ステップ毎に説明する。
Ｓ５０１では、自身の発光量をモニターする動作を開始する。
Ｓ５０２では、マスターＳＢの予備発光パルスを受信したかを判定する。
Ｓ５０３では、マイコン内の不図示のタイマをリセットして、計時を開始する。
Ｓ５０４では、所定のガイドナンバー（ＧＮｐ１）での小発光を行う。
Ｓ５０５では、計時時間が所定時間以上（例として、４００μｓ）経過したか否かを判定し、そうであれば予備発光が終了したと見なす。
Ｓ５０６では、発光モニターを終了する。
【００７２】
Ｓ５０７では、実行中の多灯制御モードにスレーブＢが含まれるか否か（例えば、スレーブＡＢモードなど）を判定する。
Ｓ５０８では、Ｂトリガ、Ｂデータを受信しても動作せず見送る。
Ｓ５０９では、実行中の多灯制御モードにスレーブＣが含まれるか否か（例えばスレーブＡＣモードなど）を判定する。
Ｓ５１０では、Ｃトリガ、Ｃデータを受信しても動作せず見送る。
Ｓ５１１では、Ａデータ（本発光倍数値Ｋ）を受信する。
Ｓ５１２では、Ａデータを基に、自身の本発光量ＧＮＡを算出する。
Ｓ５１３では、本発光トリガを受信したか否かを判定する。
Ｓ５１４では、本発光までの時間（例えば、３ｍｓ）を計時する。
Ｓ５１５では、ＧＮＡで本発光し、処理を終了する。
【００７３】
図２１は、スレーブＳＢの設定モードがスレーブＢであった場合の制御内容を示したフローチャートである。図１９のＳ４０６に対応する。以下、ステップ毎に説明する。
Ｓ６０１では、Ｂトリガ信号を受信したか否かを判定する。
Ｓ６０２では、Ｂデータ（調光パラメータ）を受信する。
Ｓ６０３では、調光パラメータを調光制御部２１へ設定する。
Ｓ６０４では、単発発光による予備調光を行う。
Ｓ６０５では、本発光量ＧＮＢを算出する。
Ｓ６０６では、本発光トリガを受信したか否かを判定する。
Ｓ６０７では、本発光までの時間（例えば、３ｍｓ）を計時する。
Ｓ６０８では、ＧＮＢで本発光し、処理を終了する。
【００７４】
図２２は、スレーブＳＢの設定モードがスレーブＣであった場合の制御内容を示したフローチャートであり、図１９のＳ４０６に対応すが、変数名が異なる（スレーブＢ→スレーブＣ，Ｂトリガ→Ｃトリガ，Ｂデータ→Ｃデータ，ＧＮＢ  →ＧＮＣ）以外の制御内容は、図２１と同様であるので説明は省略する。
【００７５】
以上説明した実施形態に限定されることなく、種々の変形や変更が可能であって、それらも本発明の均等の範囲内である。
本実施形態では、マスターＳＢからスレーブＳＢへのコードやデータを、図１５に示すように、２個のパルス発光の間隔によって伝えるようにしている。例えば、図１５でいうと、２つのパルス発光の時間を計って、それがＢトリガ、Ｂデータなどであることを伝える。
【００７６】
しかし、図１５の左欄のように、コードの場合には、１０種類程度であるので、それほど間隔が長くならないが、図１５の右欄のように、データを１バイト伝えようとすると、２５６通りの時間間隔をもたなければならず、かなり長くなる。例えば、一番長い「２５５」のデータでは、間隔２７５０μｓ、即ち、３ｍｓ近くの時間がかかってしまう。
【００７７】
そこで、３個のパルス発光を用いて、第１、第２の間隔によって、１の位、１０の位、１００の位を表すようにしてもよい。このとき、１０の位及び１００の位は、１つの間隔で兼用してもよい。
また、４個のパルス発光を用いて、第１〜第３の間隔で、それぞれ、１の位（０〜９）、１０の位（０〜９）、１００の位（０〜２）を表すようにしてもよい。この場合には、発光回数は増えるけれども、時間間隔が短縮できるというメリットがある。
【００７８】
【発明の効果】
以上説明したように、本発明によれば、以下の効果が奏することができる。
（１）第２閃光発光部によって予備発光を行い、第２閃光測光部によってその予備発光の被写体反射光を撮影レンズを通さないで測光するので、第２閃光発光部で照明される範囲が、第１閃光測光部とは独立して制御され、第１及び第２閃光発光部の照明範囲がそれぞれ適正光量となるような撮影が可能となる。
【００７９】
（２）スレーブ閃光器の第２閃光測光部によってその予備発光の被写体反射光を撮影レンズを通さないで測光するので、第２閃光発光部で照明される範囲が、マスタ閃光器の第１閃光測光部とは独立して制御され、マスタ閃光器の第１閃光発光部及びスレーブ閃光器の第２閃光発光部の照明範囲がそれぞれ適正光量となるような撮影が可能となる。
【００８０】
（３）第２の閃光器グループの第２閃光測光部によってその予備発光の被写体反射光を撮影レンズを通さないで測光するので、第２閃光発光部で照明される範囲が第１の閃光器グループの第１閃光測光部とは独立して制御され、第１の閃光器グループの第１閃光発光部及び第２の閃光器グループの第２閃光発光部の照明範囲がそれぞれ適正光量となるような撮影が可能となる。
【００８１】
（４）第１閃光発光部と第２閃光発光部とは、予備発光を別々に行うので、他の光に邪魔されずに調光でき、本発光を同時に行うので、速いシャッタスピードに対応することができる。
【００８２】
（５）第２閃光測光部は、第２閃光発光部の光軸と略同じ方向から測光するので、第２閃光発光部のみの適正光量が得られる。
【００８３】
（６）第２閃光発光部の予備発光は、単発の発光により行われるので、エネルギーの無駄がなくなる。特に、閃光発光部と閃光測光部とが同じ閃光器又はグループである場合には、単発の方が自身で制御できて、好ましい。
【００８４】
（７）第２閃光測光部は、測光値が所定量になると予備発光を停止させる調光機能を有し、第２閃光発光部の予備発光は、その調光機能により光量制御されるので、適正な光量を得ることができる。
【００８５】
（８）第１閃光発光部は、複数の閃光発光器からなり、複数の閃光発光器は同時に予備発光を行うので、撮影レンズを通した調光を複数行うことができ、多彩な多灯調光が可能となる。
【００８６】
（９）第１閃光発光部の予備発光は、所定発光量の小発光を繰り返して行うので、第１発行量算出部での算出が容易に行える。
【００８７】
（１０）第２閃光発光部は、複数の閃光発光器からなり、複数の閃光発光器は同時に予備発光を行うので、光量不足を補ったり、被写体に合わせた複数の角度から閃光発光することができる。
【００８８】
（１１）前記第２閃光発光部は、前記第１閃光発光部からの指示信号に従って、予備発光及び本発光を開始するので、第１閃光発光部の影響を受けることなく、閃光測光ができ、しかも、同時に本発光を行うことができる。
【００８９】
（１２）第１及び第２閃光発光部と異なる時刻に予備発光を行う第３閃光発光部を備えるので、第１及び第２閃光発光部の影響を受けることなく、異なる被写体又は同じ被写体を異なる角度から閃光測光することができる。
【００９０】
（１３）第２のスレーブ閃光器を設けたので、マスタ閃光器や第１のスレーブ閃光器の影響を受けることなく、異なる被写体又は同じ被写体を異なる角度から照明することができる。
【００９１】
（１４）第３の閃光器グループを設けたので、第１及び第２の閃光器グループの影響を受けることなく、異なる被写体又は同じ被写体を異なる角度から閃光測光して照明することができる。
【００９２】
（１５）前記第３閃光発光部の予備発光は、単発の発光により行われるので、エネルギーの無駄がなくなる。
【００９３】
（１６）第３閃光測光部は、測光値が所定量になると予備発光を停止させる調光機能を有し、第３閃光発光部の予備発光は、調光機能により光量制御されるので、適正な光量を得ることができる。
【００９４】
（１７）第３閃光発光部は、複数の閃光発光器からなり、複数の閃光発光器は、同時に予備発光を行うので、第２閃光発光部とは別に、光量不足を補ったり、被写体に合わせた複数の角度から閃光発光することができる。
【００９５】
（１８）スレーブ閃光器の第２閃光測光部によってその予備発光の被写体反射光を撮影レンズを通さないで測光するので、第２閃光発光部で照明される範囲が、マスタ閃光器の第１閃光測光部とは独立して制御され、マスタ閃光器の第１閃光発光部及びスレーブ閃光器の第２閃光発光部の照明範囲がそれぞれ適正光量となるような撮影が可能となる。
【００９６】
（１９）スレーブ閃光器において、第２のスレーブ閃光器を設けたので、マスタ閃光器や第１のスレーブ閃光器の影響を受けることなく、異なる被写体又は同じ被写体を異なる角度から照明することができる。
【図面の簡単な説明】
【図１】本発明による多灯閃光制御システムの実施形態の光学系を示した図である。
【図２】本発明の実施形態の構成を示すブロック図である。
【図３】本実施形態の定常光測光部の分割形状を示す図である。
【図４】本実施形態の焦点検出部の領域と光学系を示す図である。
【図５】本実施形態の閃光測光部の光学系及び分割形状を示す図である。
【図６】本実施形態の調光素子の端子とその動作をわかりやすく示した図である。
【図７】本実施形態のマスターＳＢの発光動作をわかりやすく説明した図である。
【図８】多灯制御の動作を簡潔に示した図である。
【図９】多灯制御の動作を簡潔に示した図である。
【図１０】多灯制御の動作を簡潔に示した図である。
【図１１】多灯制御の動作を簡潔に示した図である。
【図１２】多灯制御の動作を簡潔に示した図である。
【図１３】多灯制御の動作を簡潔に示した図である。
【図１４】多灯制御の動作を簡潔に示した図である。
【図１５】発光間隔とデータの意味について説明した図である。
【図１６】本実施形態の制御を示すフローチャートである。
【図１７】本実施形態の制御（撮影前処理）を示すフローチャートである。
【図１８】本実施形態の制御（予備発光処理Ａ）を示すフローチャートである。
【図１９】本実施形態の制御（スレーブＳＢの処理）を示すフローチャートである。
【図２０】本実施形態の制御（スレーブＡ処理）を示すフローチャートである。
【図２１】本実施形態の制御（スレーブＢ処理）を示すフローチャートである。
【図２２】本実施形態の制御（スレーブＣ処理）を示すフローチャートである。
【図２３】多灯撮影のシーン例を示した図である。
【図２４】多灯撮影のシーン例を示した図である。
【図２５】従来技術を示した図である。
【符号の説明】
１  撮影レンズ
２  メインミラー
３  拡散スクリーン
４  コンデンサレンズ
５  ペンタプリズム
６  接眼レンズ
７  測光用プリズム
８  測光用レンズ
９  測光素子
１０  絞り
１１  シャッター
１２  撮像素子
１３  サブミラー
１４  調光用レンズ
１５  調光素子
１６  焦点検出部
１７  閃光発光部
１８  発光モニター部
１９  第２閃光発光部
２０  第２発光モニター部
２１  調光制御部
３０  カメラ本体
３１  カメラマイコン
３２  定常光測光部
３３  閃光測光部
３４  感度設定部
３５  レリーズ・スイッチ
３６  レンズ駆動部
３４  感度設定部
３７  絞り制御部
４０  撮影レンズ本体
４１  レンズマイコン
４２  距離エンコーダ
５０  マスターＳＢ本体
５１  ＳＢマイコン
５２  送信部
５３  データ設定部
６０  スレーブＳＢ本体
６１  第２ＳＢマイコン
６２  受信部
【図１】
0004196051.tif 000002
【図２】
0004196051.tif 000003
【図３】
0004196051.tif 000004
【図４】
0004196051.tif 000005
【図５】
0004196051.tif 000006
【図６】
0004196051.tif 000007
【図７】
0004196051.tif 000008
【図８】
0004196051.tif 000009
【図９】
0004196051.tif 000010
【図１０】
0004196051.tif 000011
【図１１】
0004196051.tif 000012
【図１２】
0004196051.tif 000013
【図１３】
0004196051.tif 000014
【図１４】
0004196051.tif 000015
【図１５】
0004196051.tif 000016
【図１６】
0004196051.tif 000017
【図１７】
0004196051.tif 000018
【図１８】
0004196051.tif 000019
【図１９】
0004196051.tif 000020
【図２０】
0004196051.tif 000021
【図２１】
0004196051.tif 000022
【図２２】
0004196051.tif 000023
【図２３】
0004196051.tif 000024
【図２４】
0004196051.tif 000025
【図２５】
0004196051.tif 000026